(57)【要約】【課題】ガラスランのコーナー部の浮き上がりを抑制し、外観品質の向上を図ることのできるガラスランの取付構造を提供する。【解決手段】自動車ドアには、昇降するドアガラスＧの周縁部をシールするガラスランが設けられている。ドアフレーム２の車内側には、ドアフレーム２に沿ってガーニッシュ３が取付けられている。ガラスランは、そのコーナー部の型成形部１４において、車内側側壁部１７の先端から延出形成された延出壁部２４と、延出壁部２４の内周側端縁部近傍において車内側に突出形成され、ガーニッシュ３のリブ７に圧接される押圧部２５とを備えている。【選択図】      図４
2009234396.tif 000002
【特許請求の範囲】
【請求項１】
昇降するドアガラスを有し、ドアフレームの車内側に沿って内装部材が取付けられ、少なくとも前記ドアフレームの所定コーナー部においては前記内装部材の少なくとも一部が前記ドアフレームよりも内周位置に配設される車両用ドアに取付けられるガラスランの取付構造であって、
前記ガラスランは、
前記ドアフレームの所定コーナー部に対応して型成形された型成形部において、
前記ドアフレームの内周側に設けられたサッシュに対し取付けられ、基底部並びに当該基底部の両端から延びる車内側側壁部及び車外側側壁部からなる断面略コ字状をなす本体部と、
前記車内側側壁部及び車外側側壁部の先端からそれぞれ本体部内側へ延び、ドアガラスとの間でシールを行う一対のシールリップと、
前記車内側側壁部の先端からコーナー部内周側へ延出形成された延出壁部と、
前記延出壁部の内周側端縁部近傍において車内側に突出形成され、前記内装部材のコーナー部内周側の壁部のコーナー部外周側の壁面に圧接される押圧部とを備え、
前記内装部材は、
前記ガラスランの押圧部の圧接される壁面において、車内外方向に沿って形成された少なくとも１つの突条部を備えていることを特徴とするガラスランの取付構造。
【請求項２】
前記押圧部は、コーナー部内周側へ屈曲した鉤状の頭部を有していることを特徴とする請求項１に記載のガラスランの取付構造。
【請求項３】
前記押圧部の頭部は、車内側端部のコーナー部内周側において、前記延出壁部に対し傾斜した案内面を有していることを特徴とする請求項２に記載のガラスランの取付構造。
【請求項４】
前記押圧部は、前記型成形部の周方向所定区間に部分的に設けられていることを特徴とする請求項１乃至請求項３のいずれか一項に記載のガラスランの取付構造。
【発明の詳細な説明】
【技術分野】
【０００１】
本発明は、車両用ドアに取付けられるガラスランの取付構造に関するものである。
【背景技術】
【０００２】
一般に、自動車等の車両用ドアには、摺動するドアガラスの周縁部をシールするガラスランが設けられている。ガラスランは、断面略コ字状の本体部と、当該本体部の両側壁の略先端から本体部内側に延びる一対のシールリップとを有し、当該本体部がドアフレーム内周側に設けられたサッシュに嵌め込まれている。そして、ドアガラスの周縁部の車内側及び車外側面を前記一対のシールリップによりシールしている。
【０００３】
また、フロントドアの後上コーナー部のように、ドアフレームのコーナー形状が直角又は鋭角形状で、これに対するボディ側のドア用開口部のコーナー部が緩やかに湾曲している場合、これらコーナー部に配設されるガラスランとボディ側のウエザストリップと間には隙間が生じ、外観品質の低下を招くおそれがあった。そのため、ガラスランのコーナー部において車内側の側壁からガラスラン内周側に延出形成された延出壁部によって前記隙間を覆い、外観品質の向上を図っているものも見受けられる（例えば、特許文献１参照。）。
【０００４】
しかしながら、前記延出壁部は、例えばドアガラスの摺動に伴うシールリップの動きに追従して、その先端部（内周側端縁部）が浮き上がり、ガーニッシュ等の内装部材の端部との間に隙間が生じてしまうおそれがあった。これに対し、前記延出壁部の先端部近傍に係止部を設け、当該係止部を内装部材の端部に係止させ、前記浮き上がりを防止しているものもある（例えば、特許文献２参照。）。
【特許文献１】特開平８−２９５１３４号公報
【特許文献２】特開２００４−５０８８１号公報
【発明の開示】
【発明が解決しようとする課題】
【０００５】
しかしながら、特開２００４−５０８８１号公報に記載された従来技術は、内装部材の端部を鋭角（アンダーカット）に折り曲げ、当該折曲げ部の裏側に係止部を引っ掛ける構造となっている。そのため、車外側方向に対しては係止されるものの、延出壁部にサッシュ方向（外周側方向）への応力がかかった場合などにおいては、係止部が内装部材の折曲げ部から外れてしまうおそれがある。例えば、ガラスランには、ドアガラスの摺動に起因した応力の他、ガラスランの取付時の歪みなどに起因した応力がかかる場合がある。ガラスランは、成形の都合上、断面略コ字状の本体部を展開した状態で形成される。当該ガラスランの型成形部をサッシュに嵌め込むに際し、本体部は展開状態から断面略コ字状の非展開状態へと窄められる。このため、コーナー部分に対応する型成形部においては、内周側と外周側とで周長等が変化してしまい、延出壁部に外周側方向への応力がかかる場合がある。従って、上記従来技術のような係止部を設けただけでは、依然として延出壁部の浮き上がりが発生するおそれが残る。さらに、内装部材の端部が折り曲げられていると、他の部位との関係によっては、内装部材の成形時の型抜きが困難となるおそれもある。
【０００６】
本発明は上記問題点を解決するためになされたものであって、その目的は、ガラスランのコーナー部の延出壁部の浮き上がりを抑制し、外観品質の向上を図ることのできるガラスランの取付構造を提供するものである。
【課題を解決するための手段】
【０００７】
以下、上記目的等を解決するのに適した各手段につき項分けして説明する。なお、必要に応じて対応する手段に特有の作用効果等を付記する。
【０００８】
手段１．昇降するドアガラスを有し、ドアフレームの車内側に沿って内装部材が取付けられ、少なくとも前記ドアフレームの所定コーナー部においては前記内装部材の少なくとも一部が前記ドアフレームよりも内周位置に配設される車両用ドアに取付けられるガラスランの取付構造であって、
前記ガラスランは、
前記ドアフレームの所定コーナー部に対応して型成形された型成形部において、
前記ドアフレームの内周側に設けられたサッシュに対し取付けられ、基底部並びに当該基底部の両端から延びる車内側側壁部及び車外側側壁部からなる断面略コ字状をなす本体部と、
前記車内側側壁部及び車外側側壁部の先端からそれぞれ本体部内側へ延び、ドアガラスとの間でシールを行う一対のシールリップと、
前記車内側側壁部の先端からコーナー部内周側へ延出形成された延出壁部と、
前記延出壁部の内周側端縁部近傍において車内側に突出形成され、前記内装部材のコーナー部内周側の壁部のコーナー部外周側の壁面に圧接される押圧部とを備え、
前記内装部材は、
前記ガラスランの押圧部の圧接される壁面において、車内外方向に沿って形成された少なくとも１つの突条部を備えていることを特徴とするガラスランの取付構造。
【０００９】
上記手段１によれば、ガラスランは、自身の押圧部が内装部材の壁部に圧接された状態で取付けられる。さらに、このガラスランの押圧部が圧接される内装部材の壁部には、車内外方向に沿って形成された突条部が形成されている。つまり、内装部材の突条部がガラスランの押圧部に対し食い込むようにして、押圧部が内装部材の壁部に圧接される。これにより、仮にガラスランの延出壁部に対し車外側方向へ応力がかかったとしても、押圧部と内装部材の壁部との摩擦力（突条部の食い込み）により、延出壁部の車外側への動きが規制される。同様に、延出壁部に対しコーナー部外周側又は内周側へ応力がかかった場合にも、上記摩擦力によりこれらに追従する動きを規制することができる。結果として、ガラスランのコーナー部の延出壁部の浮き上がりを抑制し、外観品質の向上を図ることができる。ひいては、内装部材のコーナー部内周側の壁部の端縁部をアンダーカット状に折曲げる等しなくともよいため、内装部材の成形時において型抜きが困難となるといった不具合の発生を抑制することができる。
【００１０】
手段２．前記押圧部は、コーナー部内周側へ屈曲した鉤状の頭部を有していることを特徴とする手段１に記載のガラスランの取付構造。
【００１１】
上記手段２によれば、押圧部が内装部材の壁部（突条部）に引っ掛かりやすくなり、より確実に延出壁部の動きを規制することができる。
【００１２】
手段３．前記押圧部の頭部は、車内側端部のコーナー部内周側において、前記延出壁部に対し傾斜した案内面を有していることを特徴とする手段２に記載のガラスランの取付構造。
【００１３】
上記手段３によれば、押圧部の頭部に案内面を形成することにより、ガラスラン組付け時において押圧部を内装部材の奥側（車内側）まで押し込みやすくなり、押圧部が途中で引っ掛かってしまうといった不具合の発生を抑制することができる。
【００１４】
手段４．前記押圧部は、前記型成形部の周方向所定区間に部分的に設けられていることを特徴とする手段１乃至手段３のいずれかに記載のガラスランの取付構造。
【００１５】
上記手段４のように、押圧部を周方向所定区間に部分的に設けることとすれば、押圧部が周方向全域に設けられている場合に比べて、製造時における金型からの抜き出し作業が比較的容易となり、結果として生産コストの増大、作業工数の増大、生産性の低下等を抑制することができる。
【発明を実施するための最良の形態】
【００１６】
以下に、一実施形態について図面を参照して説明する。図１に示すように、車両用ドアとしての自動車ドアＤ（図ではフロントドア：以下、単に「ドア」という）には、昇降するドアガラスＧの周縁部をシールするガラスラン１が設けられている。
【００１７】
また、図４に示すように、ドアフレーム２の車内側には、当該ドアフレーム２に沿って内装部材としてのガーニッシュ３が取付けられている。本実施形態のガーニッシュ３は硬質樹脂のポリアミド（ＰＡ）によって形成されている。
【００１８】
ドアフレーム２の後上コーナー部においては、自動車ボディ側のドア用開口部の周縁部を覆い隠すように、ガーニッシュ３の少なくとも一部がドアフレーム２よりも内周位置（図４下側）に配設されている。より詳しく説明すると、ガーニッシュ３は、ドアフレーム２の後上コーナー部に対応する部位において、ドアガラスＧに略並行して配される側壁部４と、当該側壁部４のコーナー部内周側端部（図４下側）から車外側（図４左側）に向けて延びる内壁部５と、側壁部４のコーナー部外周側端部（図４上側）から車外側に向けて延びる外壁部６とからなる。内壁部５が本実施形態におけるコーナー部内周側の壁部に相当する。
【００１９】
内壁部５のコーナー部外周側の壁面５ａには、車内外方向（図４の左右方向）に沿って形成された突条部としての複数のリブ７が形成されている（図５，６参照）。図３に示すように、複数のリブ７は、後述するガラスラン１の押圧部２５の形成区間に対応して、コーナー周方向に間欠的に設けられている。
【００２０】
一方、ガラスラン１は、図１に示すように、その長手方向にみて上辺部に対応する押出成形部１０、前後の縦辺部に対応する押出成形部１１，１２と、各押出成形部１０，１１及び１０，１２の端部同士を接続する型成形部１３，１４（図１で散点模様を付した部分）とから構成される。押出成形部１０〜１２は、図示しない押出成形機によりほぼ直線状に形成される。また、型成形部１３，１４は、２つの押出成形部１０，１１及び押出成形部１０，１２が所定の角度をなした状態で相互に接続されるように図示しない金型装置にて接続成形される。なお、本実施形態では、押出成形部１０〜１２は、ＥＰＤＭ（エチレン−プロピレン−ジエン共重合体）ソリッドゴムより形成され、型成形部１３，１４は軟質樹脂のオレフィン系熱可塑性エラストマー（ＴＰＯ）により形成されている。
【００２１】
より詳しく説明すると、ガラスラン１は、図２に示すように、ドアフレーム２の内周側に設けられたサッシュ１５に対し取付けられ、基底部１６並びに当該基底部１６の両端から延びる車内側側壁部１７及び車外側側壁部１８からなる断面略コ字状をなす本体部２０と、車内側側壁部１７及び車外側側壁部１８の先端からそれぞれ本体部２０内側へ延び、ドアガラスＧとの間でシールを行う一対のシールリップ２１，２２とを備えている。
【００２２】
さらに、ドアフレーム２の後上コーナー部に対応したガラスラン１の後上コーナー部周辺では、図３，４に示すように、型成形部１４において、車内側側壁部１７の先端からコーナー部内周側へ延出形成された延出壁部２４と、当該延出壁部２４の内周側端縁部近傍において車内側に突出形成され、上記ガーニッシュ３のリブ７に圧接される押圧部２５とを備えている。但し、押圧部２５は、型成形部１４のコーナー部によって形成される角の二等分線Ｔを中心として周方向所定区間Ｌにおいて設けられている。本実施形態では、所定区間Ｌの大きさは、周方向の長さの３分の１に設定されている。
【００２３】
図５に示すように、押圧部２５は、延出壁部２４と一体形成されており、延出壁部２４との連接部にあたる付根部２７と、当該付根部２７の車内側に形成された頭部２８と備え、全体として頭部２８がコーナー部内周側へ屈曲した鉤状をなす。
【００２４】
頭部２８は、その車内側端部のコーナー部内周側において、延出壁部２４に対し傾斜した案内面２８ａを有し、コーナー部内周側へ鋭角状に先細りした断面略三角形状をなす。
【００２５】
そして、ガラスラン１をドアフレーム２に組付けた際には、図５，６に示すように、押圧部２５が弾性変形して、頭部２８のコーナー部内周側の端部２８ｂがガーニッシュ３の複数のリブ７に跨るように圧接される。これにより、押圧部２５の頭部２８に対し各リブ７が食い込んだ状態となる。
【００２６】
また、押圧部２５の反力により延出壁部２４ひいてはガラスラン１全体がサッシュ１５方向（図４上方）へ押付けられるとともに、延出壁部２４の内周側端縁部２４ａがガーニッシュ３の内壁部５の端縁部５ｂに引き付けられる。従って、延出壁部２４の内周側端縁部２４ａと押圧部２５とによって、ガーニッシュ３の内壁部５を挟持した状態となる。
【００２７】
上述してきた構成により、本実施形態では、仮にガラスラン１の延出壁部２４に対し車外側方向（図４左側）へ応力がかかったとしても、押圧部２５と当該押圧部２５が圧接されたガーニッシュ３の複数のリブ７との摩擦力（リブ７の食い込み）により、延出壁部２４の車外側への動きが規制される。同様に、延出壁部２４に対しコーナー部外周側（図４上側）又は内周側（図４下側）へ応力がかかった場合にも、上記摩擦力によりこれらに追従する動きを規制することができる。結果として、ガラスラン１のコーナー部の延出壁部２４の浮き上がりを抑制し、外観品質の向上を図ることができる。ひいては、ガーニッシュ３の内壁部５の端縁部５ｂをアンダーカット状に折曲げる等しなくともよいため、ガーニッシュ３の成形時において型抜きが困難となるといった不具合の発生を抑制することができる。
【００２８】
尚、上記実施の形態の記載内容に限定されず、例えば次のように実施してもよい。勿論、以下において例示しない他の応用例、変更例も当然可能である。
【００２９】
（ａ）上記実施形態では、押出成形部１０〜１２の素材としてＥＰＤＭゴムを採用しているが、これに限らず、スチレンブタジエンゴム、ブタジエンゴム、クロロプレンゴム等の他のゴム材料を採用してもよい。又は、ゴム材料の他に、ＴＰＯや軟質のポリ塩化ビニル（ＰＶＣ）等の樹脂材料を採用してもよい。
【００３０】
一方、型成形部１３，１４の素材としてはＴＰＯを採用しているが、これに限らず、ＰＶＣなど他の樹脂材料を採用してもよいし、ＥＰＤＭゴム等のゴム材料を採用してもよい。
【００３１】
また、ガーニッシュ３の素材としては、硬質樹脂のＰＡを採用しているが、これに限らず、他の樹脂材料を採用してもよい。但し、リブ７の食い込み等を考慮すれば、ガラスラン１の弾性材料より剛性の高い又は硬質の材料であることが好ましい。
【００３２】
（ｂ）押圧部２５の形状は上記実施形態に限定されるものではなく、所定の摩擦力や反力を得られる構成であれば、どのような形状のものであってもよい。例えば押圧部２５の頭部２８から案内面２８ａを省略したものや、頭部２８自体を省略した舌片状のものを採用してもよいし、圧接面が鋸刃状の断面形状となったものを採用してもよい。勿論、押圧部２５がガーニッシュ３に引っ掛かりやすい構成とすることが好ましい。
【００３３】
（ｃ）内壁部５に形成されるリブ７の形状や数などに関しては、上記実施形態に限定されるものではなく、適宜変更可能である。例えば、リブ７の突出長を短く設定して、当該リブ７が押圧部２５の頭部２８に食い込みつつも、当該頭部２８のコーナー部内周側の端部２８ｂの一部が内壁部５の壁面５ａに直接、圧接する構成としてもよい。
【００３４】
（ｄ）上記実施形態では、押圧部２５は、型成形部１４のコーナー部によって形成される角の二等分線Ｔを中心として周方向所定区間Ｌ（周方向の長さの３分の１）において部分的に設けられている。押圧部２５の形成範囲はこれに限定されるものではない。但し、所定区間Ｌの大きさは、周方向の長さの４分の１〜２分の１が好ましい。なぜなら、４分の１より小さいとコーナー部の浮き防止が十分になされず、２分の１より大きいと製造時における金型からの抜き出し作業が困難となるおそれがある。
【図面の簡単な説明】
【００３５】
【図１】自動車ドアを示す正面図である。
【図２】ガラスランを示す図１のＪ−Ｊ線断面図である。
【図３】ガラスランのコーナー部周辺の部分拡大図である。
【図４】型成形部を示す図３のＫ−Ｋ線断面図である。
【図５】リブと押圧部との圧接状態を説明するための部分拡大断面図である。
【図６】リブと押圧部との圧接状態を説明するための部分拡大斜視図である。
【符号の説明】
【００３６】
１…ガラスラン、２…ドアフレーム、３…ガーニッシュ、７…リブ、１４…型成形部、１５…サッシュ、１６…基底部、１７…車内側側壁部、１８…車外側側壁部、２０…本体部、２４…延出壁部、２５…押圧部、Ｄ…自動車ドア、Ｇ…ドアガラス。
【図１】
2009234396.tif 000003
【図２】
2009234396.tif 000004
【図３】
2009234396.tif 000005
【図４】
2009234396.tif 000006
【図５】
2009234396.tif 000007
【図６】
2009234396.tif 000008